(57)【要約】【課題】ＰＣＩスロットにおけるＡＧＰカード配設方法を提供する。【解決手段】検出信号をマザー・ボードに送信するステップ一と、前記のマザー・ボードにおける複数個のＰＣＩスロットの状態を走査するステップ二と、外部接続形式のＡＧＰカードによって表示の機能を実現するステップ三と、を有する。【選択図】図２
2006119862.tif 000002
【特許請求の範囲】
【請求項１】
検出信号をマザー・ボードに送信するステップ一と、
前記のマザー・ボードにおける複数個のＰＣＩスロットの状態を走査するステップ二と、
外部接続形式のＡＧＰカードによって表示の機能を実現するステップ三と、
を有することを特徴とするＰＣＩスロットにおけるＡＧＰカード配設方法。
【請求項２】
前記の検出信号としてバイオスからの信号を利用することを特徴とする請求項１に記載のＰＣＩスロットにおけるＡＧＰカード配設方法。
【請求項３】
前記のマザー・ボードを走査するステップにおいて、
さらにＰＣＩバスには外部接続形式のＡＧＰカードが配設されているかのことを判断するステップ二の一のことを有することを特徴とする請求項１に記載のＰＣＩスロットにおけるＡＧＰカード配設方法。
【請求項４】
前記の外部接続形式のＡＧＰカードとして前記のＰＣＩバスのサーキット・レイアウトを改めてＡＧＰバスのサーキット・レイアウトとなるようにアレンジすることを特徴とする請求項３に記載のＰＣＩスロットにおけるＡＧＰカード配設方法。
【請求項５】
前記のバスにおいては外部接続形式のＡＧＰカードを判断するステップ二の一においては、その判断の結果が肯定である場合に外部接続形式ＡＧＰカードを使用して表示機能を実現するが、否定である場合に、ビルド・インビデオ・チップによって表示の機能を実現するようにしたことを特徴とする請求項３に記載のＰＣＩスロットにおけるＡＧＰカード配設方法。
【発明の詳細な説明】
【技術分野】
【０００１】
本発明は、ＰＣＩスロットにおけるＡＧＰカード配設方法に係わり、特に既存の任意のＰＣＩバスを改めてＡＧＰ仕様に該当するバスになるようにアレンジするようにしたＰＣＩスロットにおけるＡＧＰカード配設方法に関するものである。
【背景技術】
【０００２】
従来の工業用コンピュータ装置のバス構造には、たとえば、ＩＳＡ，ＶＩＳＡ，ＰＣＩ，ＡＧＰなどのものがある。一般のコンピュータ装置の本体におけるマザー・ボードにおいては大体複数個のインサート・スロットが配設され、それらのインサート・スロットには、対応するためのインターフェース・カードが嵌挿される。それらのインター・フェース・カードは主に周辺設備とマザー・ボードとの間の架け橋となり、マザー・ボードがそれらのインターフェース・カードを介してそれらの周辺設備をコントロールできる。それらのインサート・スロットは、早期のＩＳＡスロットのものから、ＶＩＳＡスロットのものまで進化され、また、ＶＩＳＡスロットのものからＰＣＩスロットを経由して現今の流行しているＡＧＰスロットに変化してきた。
【０００３】
現今の科学技術が既に所定の程度に進歩しているので、ある場合では、依然として従来のマザー・ボードを援用しており、それらのマザー・ボードがある部分にはＩＳＡスロットを有し、また、ある部分にはＰＣＩスロットを有している。マザー・ボードには全面的にインターフェース・カードが嵌挿される場合では、もう一つのＰＣＩまたはＩＳＡインターフェース・カードを嵌挿しようしてもできないこととなる。そのため、この課題を解消するために、特許文献１が提案され、それは、一種のＰＣＩとＩＳＡインターフェースを同時に備えているインターフェース・カードを提案し、そのインターフェース・カードとコンピュータ装置の本体のマザー・ボードと相互に接続する場合に、マザー・ボードにおけるインサート・スロットの相違に従って、そのインターフェース・カードをそのインサート・スロットと合せるための接続インターフェースをその中に嵌挿し、インサート・スロットの仕様の制限を受けないように設計されるとともに、インサート・スロットのインターフェースの相違に従って格別に合せるためのインターフェース・カードを購入する必要がないので、コストを節約する目的を図れる。
【０００４】
特許文献１の構成は図１に示すように、そのインターフェース・カード１０には、複数個の部材１１が配設され、他に、そのインターフェース・カード１０がそれぞれ異なる縁部においてはそれぞれ周辺部材と交互に接続しあうためのＰＣＩスロット（Peripheral  Component  Interconnect）と、ＩＳＡ（Industry  Standard  Architecture）スロットと相容れる第一と第二の接続インターフェース１２，１３が配設され、それらの第一と第二の接続インターフェース１２，１３がそれぞれ異なる回路を介して同じ部材１１と接続し合う。また、前記のインターフェース・カード１０においては、前記の第一と第二の接続インターフェース１２，１３と接続しあう端子１４が設けられ、それらの端子１４がそれぞれインターフェース・カード１０のある縁部に配設され、他に、そのインターフェース・カード１０の端子１４が設けられる縁部には、平板１５が配設され、その平板１５には前記の端子１４を差し込む用の孔部（図示しない）が形成されている。
【０００５】
しかしながら、他の場合では、マザー・ボードにおいては全部がＰＣＩスロットが配設され、ユーザーが他のＡＧＰの外部接続形式カードを持って使用しようとする場合に、その従来のマザー・ボードにおいては使用不能になり、その原因は、そのマザー・ボードにおいてはＡＧＰスロットを有しないためであり、そのような場合では、ユーザーは余分な料金がかかって、新しいマザー・ボードを購入しなければならないので、ユーザーに不便さをもたらす場合がある。
【特許文献１】台湾公告第４８８５３３号公報
【発明の開示】
【発明が解決しようとする課題】
【０００６】
前記のそれぞれの課題に鑑みて、本発明の発明者は、マザー・ボードに外部接続形式のＡＧＰカードを配設可能なＰＣＩスロットにおけるＡＧＰカードの配設方法を提供することをその主要な解決しようとする課題とする。
【課題を解決するための手段】
【０００７】
前記の課題を解消するために、本発明は、検出信号をマザー・ボードに送信するステップ一と、前記のマザー・ボードにおける複数個のＰＣＩスロットの状態を走査するステップ二と、外部接続形式のＡＧＰカードによって表示の機能を実現するステップ三と、を有する、ＰＣＩスロットにおけるＡＧＰカード配設方法を提供する。
【０００８】
本発明に係る解決手段を更に具体的に説明すると、次の通りになる。
［第１実施様態］
【０００９】
検出信号をマザー・ボードに送信するステップ一と、
前記のマザー・ボードにおける複数個のＰＣＩスロットの状態を走査するステップ二と、
外部接続形式のＡＧＰカードによって表示の機能を実現するステップ三と、
を有することを特徴とする、
ＰＣＩスロットにおけるＡＧＰカード配設方法。
［第２実施様態］
【００１０】
第１実施様態において、前記の検出信号としてバイオスからの信号を利用する。
［第３実施様態］
【００１１】
第１実施様態において、前記のマザー・ボードを走査するステップにおいて、さらにＰＣＩバスには外部接続形式のＡＧＰカードが配設されているかのことを判断するステップ二の一のことを有する。
［第４実施様態］
【００１２】
第３実施様態において、前記の外部接続形式のＡＧＰカードとして前記のＰＣＩバスのサーキット・レイアウトを改めてＡＧＰバスのサーキット・レイアウトとなるようにアレンジする。
［第５実施様態］
【００１３】
第３実施様態において、前記のバスにおいては外部接続形式のＡＧＰカードを判断するステップ二の一においては、その判断の結果が肯定である場合に外部接続形式ＡＧＰカードを使用して表示機能を実現するが、否定である場合に、ビルド・インビデオ・チップによって表示の機能を実現するようにした。
【発明の効果】
【００１４】
ＡＧＰの信号ピンとＰＣＩの信号ピンとが同じである、ＰＣＩスロットの回路を改めてＡＧＰスロットの回路となるようにアレンジできるから、本発明によれば、元はＡＧＰ機能をサポートしないビデオ・チップにＡＧＰビデオカードを使用することを実現できる。
【発明を実施するための最良の形態】
【００１５】
本発明の達成しようとする目的とその採用した技術手段と方法とその効果性をさらに明らかに説明するために、以下に、添付図面を参照しながら本発明の優れる実施の形態を詳細的で具体的に説明し、それらの詳細な説明による具体的な構成は単に本発明の実施可能な実施例に過ぎなく、本発明を狭義的に局限を加えるものではないことは言うまでもない。
【００１６】
一般のチップ・メーカの製造するビデオ・チップが大体三種類に区分され、その第一種は単にＡＧＰ機能をサポートするチップであり、例えば、ノートブックが単に文書処理を実行する場合或いはＡＧＰをインサートできない場合では、高価なチップを使用する必要はなく、そのため、ビデオカードにおける表示機能をビデオ・チップ内に加入するように処置し、これは最も安価な製品である。また、コンピュータ・ゲームを遊ぼうとする場合に、ビルド・インされるチップを使用すると、その些細な動作をアピールさせられなくなり、そのため、ＡＧＰの外部接続形式のビデオカードを購入してＡＧＰスロット内に配設するように処置する。また、本発明は、その提案されるＰＣＩスロットにおけるＡＧＰカードの配設方法は、前記の両方の方法を同時にサポートし、ユーザーがカードを購入する予算がない場合では、ビルド・インのチップの表示機能を使用し、ユーザーが外部接続形式のカード（ＡＧＰ）を購入する場合に、外部接続形式のカードの表示機能を使用するとともに、ビルド・イン・チップの機能を閉鎖するように処置する。
【００１７】
ユーザーが安価なマザー・ボードを購入し、そのマザー・ボードにおいては単にＰＣＩスロットを有しない場合では、即ち、単にビルド・イン式のビデオ・チップを有し、そしてＡＧＰスロットを有しない。それにしても、ユーザーにはＡＧＰのビデオカードを持っている場合では、本発明によると、ＰＣＩバスのサーキット・レイアウトを改めてＡＧＰバスのサーキット・レイアウトとなるようにアレンジし、ＰＣＩスロットにＡＧＰカードを配設できる。それは、ＰＣＩが定義される際に、その定義する周波数幅がかなり狭く、その後で、ＡＧＰ信号を定義する場合に、ＡＧＰの信号ピンとＰＣＩの信号ピンとが同じであるけど、単にいくつかのピンが余っておるので、ＡＧＰの機能がＰＣＩの機能より優れている。ＰＣＩとＡＧＰとのピンの定義がそれぞれ異なるが、それらの機能が同じである。
【００１８】
図２に示すのは、本発明のＰＣＩスロットにおけるＡＧＰカードの配設方法のフローチャート図であり、そのフローチャートにおいては、マザー・ボードに検出信号を送信するステップ（Ｓ１００）を有し、前記の検出信号がバイオス（ＢＩＯＳ）より提供されるものであり、また、マザー・ボードにおける複数個のＰＣＩスロットの状態を走査するステップ（Ｓ１０２）を有し、また、どのＰＣＩバスにおいては外部接続形式のＡＧＰカードが存在するかのことを判断するステップ（Ｓ１０４）を有し、その外部接続形式のＡＧＰカードのＰＣＩバスがＰＣＩバスのレイアウトを改めてＡＧＰバスのレイアウトになるようにアレンジし、もし、その判断の結果が肯定である場合、外部接続形式のＡＧＰカードによって表示を実行する機能を進める（ステップＳ１０６）。それに反して、その判断の結果は否定である場合に、ビルド・イン式のビデオ・チップを使用して表示を実行する（ステップＳ１０８）。
【００１９】
本発明は、従来技術と異なり、従来技術はインターフェース・カードを使用する方式によってその要する機能を達成するものであり、本発明の場合では、元はＡＧＰ機能をサポートしないビデオ・チップにＡＧＰビデオカードを使用することを実現し、本発明はＰＣＩスロットの回路を改めてＡＧＰスロットの回路となるようにアレンジする、即ち、ＰＣＩバスの信号をＡＧＰバスの信号に転換させることによってマザー・ボードのＰＣＩスロットにＡＧＰのビデオカードを嵌挿可能なことが実現できる新発明を提供できる。
【００２０】
また、前記に掲げた図面や説明などは単に本発明の実施例に過ぎなく、当該分野における技術者は種々の改造や変更や一部転用などを実施できるが、それらのことも本発明のカバーする範囲内に納入されるべきことは言うまでもない。
【図面の簡単な説明】
【００２１】
【図１】従来技術のＰＣＩとＩＳＡとのインターフェース・カードを同時に備えるような装置の場合を示す説明図である。
【図２】本発明のＰＣＩスロットにＡＧＰカードを配設する方法を示すフローチャートである。
【図１】
2006119862.tif 000003
【図２】
2006119862.tif 000004